(57)【特許請求の範囲】
【請求項１】
下端部が基礎設置用穴の底部に配置されて縦方向に伸びる主脚材の周囲に設けられる鉄塔基礎コンクリート用型枠であって、
前記主脚材の下端部を包囲するよう前記基礎設置用穴の底部に設けられる型枠受架台と、
前記型枠受架台の上部に前記主脚材を包囲するよう設けられる柱体型枠と、
前記型枠受架台の上部と前記基礎設置用穴の内壁部とで支持され、前記型枠受架台の上部と前記内壁部との間で前記基礎設置用穴を塞ぐ蓋材とを、
有することを特徴とする鉄塔基礎コンクリート用型枠。
【請求項２】
前記蓋材は複数の分割蓋を横方向に着脱可能に連結して成り、各分割蓋は複数の通水孔を有することを、特徴とする請求項１記載の鉄塔基礎コンクリート用型枠。
【請求項３】
蓋固定部材を有し、前記基礎設置用穴は内壁部にライナープレートを有し、前記ライナープレートは内周にフランジ状の継目を有し、前記蓋固定部材は上端に前記継目に着脱可能に取り付けられる上端取付部を有し、下端に前記蓋材に着脱可能に取り付けられる下端取付部を有することを、特徴とする請求項１または２記載の鉄塔基礎コンクリート用型枠。
【請求項４】
前記型枠受架台は３本以上の脚部と支持枠とを有し、前記支持枠は各脚部の上部に高さ調節可能かつ着脱可能に取り付けられ、前記柱体型枠は前記支持枠に着脱可能に取り付けられることを、特徴とする請求項１、２または３記載の鉄塔基礎コンクリート用型枠。
【請求項５】
基礎設置用穴を形成する工程と、
前記基礎設置用穴の底部に主脚材の下端部を配置し、前記主脚材を縦方向に伸びるよう設置する工程と、
前記主脚材の下端部を包囲するよう前記基礎設置用穴の底部に型枠受架台を設置する工程と、
前記型枠受架台の上部に前記主脚材を包囲するよう柱体型枠を設ける工程と、
蓋材を前記型枠受架台の上部と前記基礎設置用穴の内壁部とで支持し、コンクリート打設口を開けて前記蓋材により前記型枠受架台の上部と前記内壁部との間で前記基礎設置用穴を塞ぐ工程と、
前記基礎設置用穴の内部に前記コンクリート打設口から前記蓋材の高さまでコンクリートを打設する工程と、
前記柱体型枠の内部にコンクリートを打設する工程とを、
有することを特徴とする鉄塔基礎コンクリート施工方法。
【発明の詳細な説明】
【技術分野】
【０００１】
本発明は、鉄塔基礎コンクリート用型枠および鉄塔基礎コンクリート施工方法に関する。
【背景技術】
【０００２】
従来、送電線基礎コンクリートの打設を行う際は、ベースコンクリートを打設してベース部Ａを設けた後、ベース上に柱体型枠を設置し、柱体型枠の内部にコンクリートを投入して柱体部を設けていた。しかし、ベース部Ａと柱体部の打ち継ぎ部分に不純物が混入する可能性があることから、打ち継ぎ構造を回避することを目的として、ベース部Ａと柱体部の基礎部を同時にコンクリート打設する技術が開発されている（例えば、特許文献１参照）。
【先行技術文献】
【特許文献】
【０００３】
【特許文献１】特開平１１−６１８５３号公報
【発明の概要】
【発明が解決しようとする課題】
【０００４】
しかしながら、従来、ベース部Ａと柱体部の打設は、ベース部Ａを養生して固化させた後に柱体部の打設を行うため、日をおいて別々の日に行っていた。特許文献１に示す技術でも、ベース部Ａと柱体部の基礎部を同時にコンクリート打設した後、柱体部の上部型枠を積載して柱体部の上部のコンクリート打設を行うため、柱体部の基礎部と上部の打設は別々の日に行われる。
【０００５】
このため、ベース部Ａまたはベース部Ａと柱体部の基礎部の養生期間を要し、施工に日数がかかるという課題があった。また、山間部の現場でヘリコプターにより資材を運んでコンクリート打設を行う際は、天候悪化等による作業中止や作業工程の変化をしばしば余儀なくされ、それによってヘリコプターの手配など様々な経費の増加が生じるという課題があった。
【０００６】
本発明は、このような課題に着目してなされたもので、施工期間の短縮と経費削減を図ることができる鉄塔基礎コンクリート用型枠および鉄塔基礎コンクリート施工方法を提供することを目的としている。
【課題を解決するための手段】
【０００７】
上記目的を達成するために、本発明に係る鉄塔基礎コンクリート用型枠は、下端部が基礎設置用穴の底部に配置されて縦方向に伸びる主脚材の周囲に設けられる鉄塔基礎コンクリート用型枠であって、前記主脚材の下端部を包囲するよう前記基礎設置用穴の底部に設けられる型枠受架台と、前記型枠受架台の上部に前記主脚材を包囲するよう設けられる柱体型枠と、前記型枠受架台の上部と前記基礎設置用穴の内壁部とで支持され、前記型枠受架台の上部と前記内壁部との間で前記基礎設置用穴を塞ぐ蓋材とを、有することを特徴とする。
【０００８】
本発明に係る鉄塔基礎コンクリート施工方法は、基礎設置用穴を形成する工程と、前記基礎設置用穴の底部に主脚材の下端部を配置し、前記主脚材を縦方向に伸びるよう設置する工程と、前記主脚材の下端部を包囲するよう前記基礎設置用穴の底部に型枠受架台を設置する工程と、前記型枠受架台の上部に前記主脚材を包囲するよう柱体型枠を設ける工程と、蓋材を前記型枠受架台の上部と前記基礎設置用穴の内壁部とで支持し、コンクリート打設口を開けて前記蓋材により前記型枠受架台の上部と前記内壁部との間で前記基礎設置用穴を塞ぐ工程と、前記基礎設置用穴の内部に前記コンクリート打設口から前記蓋材の高さまでコンクリートを打設する工程と、前記柱体型枠の内部にコンクリートを打設する工程とを、有することを特徴とする。
打設したコンクリートが固化後は、打設したコンクリートから蓋材および柱体型枠を取り外す。
【０００９】
本発明に係る鉄塔基礎コンクリート用型枠および鉄塔基礎コンクリート施工方法では、蓋材が型枠受架台の上部と内壁部との間で基礎設置用穴を塞ぎ、型枠受架台の上部に柱体型枠が設けられるので、基礎設置用穴の内部に蓋材の高さまでコンクリートを打設した後すぐに、柱体型枠の内部にコンクリートを打設することができる。このため、柱体部のコンクリート打設にベース部Ａの固化を待つ必要がないので、施工期間を短縮することができる。
【００１０】
また、山間部の現場でヘリコプターにより資材を運んでコンクリート打設を行う際にも、ベース部Ａのコンクリート打設と柱体部のコンクリート打設を１度に行うことができるので、ヘリコプターによる空輸回数が減少し、経費削減を図ることができる。
【００１１】
本発明に係る鉄塔基礎コンクリート用型枠において、前記蓋材は複数の分割蓋を横方向に着脱可能に連結して成り、各分割蓋は複数の通水孔を有することが好ましい。
この場合、任意の分割蓋を外してコンクリート打設口を設け、基礎設置用穴の内部へのコンクリート打設を容易にすることができる。また、蓋材を複数の分割蓋に分けることにより、蓋材の運搬を容易にすることができる。複数の分割蓋は着脱可能に連結されるため、ベース部Ａの造成後は取り外して再利用しやすい。各分割蓋は複数の通水孔を有するので、ベース部Ａのコンクリートの養生中の水・空気を通水孔から逃がすことができる。通水孔からベース部Ａのコンクリートの打設状況を確認することもできる。
蓋材は、作業員がその上に乗って作業できる強度を有することが好ましい。通水孔を有する分割蓋は、パンチングメタルから成ることが好ましい。
【００１２】
本発明に係る鉄塔基礎コンクリート用型枠は、蓋固定部材を有し、前記基礎設置用穴は内壁部にライナープレートを有し、前記ライナープレートは内周にフランジ状の継目を有し、前記蓋固定部材は上端に前記継目に着脱可能に取り付けられる上端取付部を有し、下端に前記蓋材に着脱可能に取り付けられる下端取付部を有することが好ましい。
この場合、蓋固定部材により、蓋材を基礎設置用穴の内壁部のライナープレートに固定することができる。このため、蓋材の固定を確実にすることができる。蓋固定部材は、ライナープレートおよび蓋材から取り外して再利用することができる。
【００１３】
本発明に係る鉄塔基礎コンクリート用型枠において、前記型枠受架台は３本以上の脚部と支持枠とを有し、前記支持枠は各脚部の上部に高さ調節可能かつ着脱可能に取り付けられ、前記柱体型枠は前記支持枠に着脱可能に取り付けられることが好ましい。
この場合、支持枠は、各脚部の位置の高さを調節することにより、水平になるよう調節することができる。
【発明の効果】
【００１４】
本発明によれば、施工期間の短縮と経費削減を図ることができる鉄塔基礎コンクリート用型枠および鉄塔基礎コンクリート施工方法を提供することができる。
【図面の簡単な説明】
【００１５】
【図１】本発明の実施の形態の鉄塔基礎コンクリート用型枠の使用状態を示す断面図である。
【図２】本発明の実施の形態の鉄塔基礎コンクリート施工方法の主脚材および碇材の据付・配筋工程を示す斜視図である。
【図３】本発明の実施の形態の鉄塔基礎コンクリート用型枠に用いられる（Ａ）型枠受架台の脚部の斜視図、（Ｂ）型枠受架台の支持枠の斜視図、（Ｃ）蓋材の斜視図、（Ｄ）蓋材を構成する分割蓋の平面図、（Ｅ）蓋固定部材の正面図である。
【図４】本発明の実施の形態の鉄塔基礎コンクリート施工方法の型枠受架台の組立・据付工程を示す斜視図である。
【図５】本発明の実施の形態の鉄塔基礎コンクリート施工方法の柱体型枠の最下段の据付工程を示す斜視図である。
【図６】本発明の実施の形態の鉄塔基礎コンクリート用型枠の型枠受架台の支持枠と柱体型枠との固定状態を示す断面図である。
【図７】本発明の実施の形態の鉄塔基礎コンクリート施工方法の柱体型枠の上段の据付工程を示す斜視図である。
【図８】本発明の実施の形態の鉄塔基礎コンクリート施工方法の蓋材の取付工程を示す斜視図である。
【図９】本発明の実施の形態の鉄塔基礎コンクリート施工方法の蓋材に蓋固定部材を取り付ける工程を示す斜視図である。
【図１０】本発明の実施の形態の鉄塔基礎コンクリート用型枠の蓋固定部材の使用状態を示す断面図である。
【図１１】本発明の実施の形態の鉄塔基礎コンクリート施工方法のベース部Ａのコンクリート打設工程を示す斜視図である。
【図１２】本発明の実施の形態の鉄塔基礎コンクリート施工方法の（Ａ）柱体部のコンクリート打設工程を示す斜視図，（Ｂ）柱体部のコンクリート打設時の締固め状態を示す断面図である。
【図１３】本発明の実施の形態の鉄塔基礎コンクリート施工方法による脱枠完了状態を示す断面図である。
【図１４】本発明の実施の形態の鉄塔基礎コンクリート施工方法により造成された鉄塔基礎コンクリートのベース部Ａの一部を示す断面図である。
【発明を実施するための形態】
【００１６】
以下、図面に基づき、本発明の実施の形態について説明する。
図１に示すように、送電鉄塔基礎コンクリートを造成するとき、まず、基礎設置用穴１を形成する。基礎設置用穴１は円筒状のベース部収容部分１ａと円筒状の柱体型枠収容部分１ｂとから成り、ベース部収容部分１ａに対し、柱体型枠収容部分１ｂの径が大きくなっている。柱体型枠収容部分１ｂの内壁部には、ライナープレート２が設けられる。ライナープレート２は、高さ方向に間隔をあけて、内周に複数のフランジ状の継目２ａを有している。
【００１７】
図２に示すように、基礎設置用穴１の底部に主脚材３の下端部を配置し、主脚材３を縦方向に伸びるよう設置する。主脚材３の下端部には、アングル鋼から成る２本の碇材４をＴ字状に配置してボルトで固定する。主脚材３の周囲に間隔をあけて配筋材５を設ける。
【００１８】
基礎設置用穴１に鉄塔基礎コンクリート用型枠を設置する。図３および図７に示すように、鉄塔基礎コンクリート用型枠は、型枠受架台１０と、柱体型枠２０と、蓋材３０と、蓋固定部材４０とを有している。型枠受架台１０の４本の脚部１１は、正方形の頂点の位置に配置され、２つのリング状の補強フープ筋１２にそれぞれ固定されている。図６に示すように、各脚部１１の上端にはボルト状に雄ネジが形成され、調整ナット１３および取付ナット１４が螺合されている。図４に示すように、主脚材３および基礎設置用穴１の内壁との間に間隔をあけて主脚材３を包囲するよう、基礎設置用穴１の底部に各脚部１１を設置する。
【００１９】
図６に示すように、支持枠１５は、断面がＦ字状のリングから成り、リング状の溝部１５ａと、溝部１５ａより内側に突出するフランジ部１５ｂとを有している。溝部１５ａには、４つのボルト穴１５ｃが形成されている。各ボルト穴１５ｃには各脚部１１の上端が挿入され、溝部１５ａが調整ナット１３と取付ナット１４とに挟まれて、支持枠１５は、各脚部１１の上部に高さ調節可能かつ着脱可能に取り付けられている。支持枠１５は、各脚部１１の位置の高さを調節することにより、水平になるよう調節される。
【００２０】
図５に示すように、型枠受架台１０の支持枠１５の上に主脚材３との間に間隔をあけて主脚材３を包囲するよう柱体型枠２０の最下段２１を設ける。柱体型枠２０は、図７に示すように、細長い円錐台型筒体から成り、複数の短い円錐台型の筒体型枠２２に分割可能となっている。柱体型枠２０には、既存品を用いることができる。柱体型枠２０の最下段２１および各筒体型枠２２は、上端および下端に外周側に突出するフランジ２３を有している。図６に示すように、最下段２１の筒体型枠２２は、下側のフランジ２３を支持枠１５のフランジ部１５ｂの上に載せて固定金具２４で挟み、ボルトおよびナットまたはＵ字クリップによりフランジ部１５ｂに着脱可能に取り付けられる。柱体型枠２０の最下段２１の位置を調整、確認後、各脚部１１の下端台座１１ａをモルタルで基礎設置用穴１の底部に固定する。
【００２１】
図８に示すように、蓋材３０を型枠受架台１０の上部の支持枠１５と基礎設置用穴１の内壁部とで支持されるように配置し、蓋材３０で型枠受架台１０の支持枠１５と内壁部との間で基礎設置用穴１を塞ぐ。蓋材３０は、複数の分割蓋３１を横方向に着脱可能に連結して成る。蓋材３０は、複数の分割蓋３１に分けられるので、運搬を容易にすることができる。各分割蓋３１は、全体に複数の通水孔３２を有するリング状の板を半径方向に伸びる複数の直線で分割し、分割された板の周囲を側壁で包囲した形状を有している。通水孔３２は、パンチングにより形成される。各分割蓋３１は、他の分割蓋３１と側壁を重ね合わせ、側壁に設けた複数の取付け孔にＵ字クリップなどの連結部材を着脱可能に挿入して連結されている。なお、連結部材は、ボルトおよびナットでもよい。
【００２２】
図９に示すように、蓋材３０は、４箇所で蓋固定部材４０によりライナープレート２に取り付けられる。図１０に示すように、蓋固定部材４０は、細長い棒状であって、上端にライナープレート２の継目２ａに着脱可能に取り付けられる上端取付部４１を有し、下端に蓋材３０に着脱可能に取り付けられる下端取付部４２を有する。上端取付部４１は、互いに締付け可能な２枚の板材から成り、上下に重なる２つのライナープレート２の継目２ａを各板材の間に挟んで締付けることによりライナープレート２に取り付けられる。
【００２３】
図３（Ｅ）に示すように、下端取付部４２は、ボルト穴４２ａを有する。下端取付部４２は、ボルト穴４２ａと蓋材３０の側壁の取付け孔とにボルトを挿入しナットで締付けることにより蓋材３０に取り付けられる。蓋固定部材４０は、ターンバックル４３を有し、長さを調整可能である。蓋材３０は、蓋固定部材４０により確実に固定され、作業員がその上に乗って作業できる強度を有する。
【００２４】
数箇所、例えば４箇所の分割蓋３１を取り外し、蓋材３０の下側の基礎設置用穴１へのコンクリート打設口を開ける。分割蓋３１は着脱可能なため、基礎設置用穴１の内部へのコンクリート打設を容易にすることができる。図１１に示すように、打設シュート６を設置し、打設シュート６を通してコンクリート打設口７から基礎設置用穴１の内部にコンクリートを打設する。蓋材３０の下方に打設されたコンクリートがベース部Ａとなる。ベース部Ａの打設は、蓋材３０の通水孔３２からコンクリートがにじみ出る程度まで行う。コンクリート打設後、取り外した分割蓋３１を元に戻してコンクリート打設口７を閉じる。蓋材３０の通水孔３２から溢れ出た水やコンクリートは、除去する。通水孔３２からベース部Ａのコンクリートの打設状況を確認することもできる。
【００２５】
図１２（Ａ）に示すように、柱体型枠２０の上部開口２５から内部にコンクリートを打設する。その際、図１２（Ｂ）に示すように、柱体型枠２０の上部開口２５から蓋材３０の下側のベース部Ａのコンクリートまでバイブレータ８を差し込み、コンクリートの締固めを適度に行う。柱体型枠２０の内部にコンクリート打設後、養生を行う。このとき、各分割蓋３１は複数の通水孔３２を有するので、ベース部Ａのコンクリートの養生中の水・空気を通水孔３２から逃がすことができる。
【００２６】
図１３に示すように、養生期間が終了して打設したコンクリートが固化後、蓋材３０および柱体型枠２０を打設したコンクリートから取り外す。蓋固定部材４０は、ライナープレート２および蓋材３０から取り外して再利用することができる。複数の分割蓋３１は着脱可能に連結されるため、取り外して再利用しやすい。柱体型枠２０も再利用可能である。各脚材の上部から調整ナット１３および取付ナット１４を取り外したならば、図１４に示すように、取り外した後の穴をモルタル９で補修する。
こうして、図１３に示す鉄塔基礎コンクリートが完成する。
【００２７】
本発明の実施の形態の鉄塔基礎コンクリート用型枠および鉄塔基礎コンクリート施工方法では、蓋材３０が型枠受架台１０の上部と内壁部との間で基礎設置用穴１を塞ぎ、型枠受架台１０の上部に柱体型枠２０が設けられるので、基礎設置用穴１の内部に蓋材３０の高さまでコンクリートを打設した後すぐに、柱体型枠２０の内部にコンクリートを打設することができる。このため、柱体部Ｂのコンクリート打設にベース部Ａの固化を待つ必要がないので、施工期間を短縮することができる。また、ベース部Ａと柱体部Ｂとに打継目が発生しないため、鉄塔基礎コンクリートの品質を向上させることができる。
【００２８】
さらに、山間部の現場でヘリコプターにより資材を運んでコンクリート打設を行う際にも、ベース部Ａのコンクリート打設と柱体部Ｂのコンクリート打設を１度に行うことができるので、ヘリコプターによる空輸回数が減少し、経費削減を図ることができる。
【符号の説明】
【００２９】
１  基礎設置用穴
１ａ  ベース部収容部分
１ｂ  ベース部収容部分
２  ライナープレート
２ａ  継目
３  主脚材
４  碇材
５  配筋材
６  打設シュート
７  コンクリート打設口
８  バイブレータ
９  モルタル
１０  型枠受架台
１１  脚部
１１ａ  下端台座
１２  補強フープ筋
１３  調整ナット
１４  取付ナット
１５  支持枠
１５ａ  溝部
１５ｂ  フランジ部
１５ｃ  ボルト穴
２０  柱体型枠
２１  柱体型枠の最下段
２２  筒体型枠
２３  フランジ
２４  固定金具
２５  上部開口
３０  蓋材
３１  分割蓋
３２  通水孔
４０  蓋固定部材
４１  上端取付部
４２  下端取付部
４２ａ  ボルト穴
４３  ターンバックル
Ａ  ベース部
Ｂ  柱体部
【図１】
0006595404.tif 000002
【図２】
0006595404.tif 000003
【図３】
0006595404.tif 000004
【図４】
0006595404.tif 000005
【図５】
0006595404.tif 000006
【図６】
0006595404.tif 000007
【図７】
0006595404.tif 000008
【図８】
0006595404.tif 000009
【図９】
0006595404.tif 000010
【図１０】
0006595404.tif 000011
【図１１】
0006595404.tif 000012
【図１２】
0006595404.tif 000013
【図１３】
0006595404.tif 000014
【図１４】
0006595404.tif 000015